(57)【特許請求の範囲】
【請求項１】
建築物の外壁本体に設けられる一対の外装パネルの端部を覆う長尺の外装パネル用役物であって、
前記外装パネル用役物の断面形状は左右対称形で、一対の外装パネルの各端部を収納する一対の収納部とこの収納部を覆う一対のカバー材から成り、
前記一対の収納部は、前記外壁本体に取付けられる内側材と、この内側材から平行に隔たる外側材と、前記内側材の一端と前記外側材の一端を連結する連結材とで形成されるとともに、
前記一対のカバー材は前記各外側材の他端で折返し外側材に沿って延設して前記対称軸上で連結され、
前記内側材の他端に連続して前記内側材と平行に折返す第二の内側材と、この第二の内側材の先端から前記収納部の内部側に傾斜する斜材と、この斜材の先端から前記第二の内側材に平行な第三の内側材が延設され、
前記第三の内側材と前記外側材の間隔が前記外装パネルの厚さと同じ幅で形成され、前記第三の内側材先端に前記収納部の内部側に突出する突出面を備えることを特徴とする外装パネル用役物。
【請求項２】
請求項１に記載の外装パネル用役物であって、前記一対の内側材の挟角は直角又は１８０度に形成されることを特徴とする外装パネル用役物。
【請求項３】
請求項１又は請求項２に記載の外装パネル用役物であって、前記外装パネル用役物は鋼板による板金加工で一体形成されることを特徴とする外装パネル用役物。
【発明の詳細な説明】
【技術分野】
【０００１】
本発明は、外壁本体に設ける一対の外装パネルを挟持する外装パネル用役物に関し、特に、外装パネルの裏面側に空気層を形成するとともに、外装パネルを確実に安定して保持する外装パネル用役物の技術に関する。
【背景技術】
【０００２】
従来、建築物の外壁本体に取付ける一対の外装パネル用の外装パネル用役物は、外装パネルの裏面側に発生する結露によって外装パネルが劣化し防音性や保温性が低下することがあった。この問題を解決する方法として、例えば、特許文献１の記載が知られている。
【０００３】
特許文献１によれば、図４（ａ）、（ｂ）に示すように、外装パネル用役物１４は、胴縁部１５とジョイナ部１６とからなり、胴縁部１５は、平断面コ字型の縦長ベース１７と、この縦長ベース１７の開口端に連設された１２１と１２２とからなる。平面視Ｔ字型のジョイナ部１６は、縦長ベース１７の天面１１１の略中央部に連設され、天面１１１と共に一対の隣り合う外装パネル１８を挟持する。縦長ベース１７の両側面には外装パネルの裏面側に空気が流通するための長孔１３１、１３２が設けられる。
【特許文献１】特開２００５−５４４３３号公報
【発明の開示】
【発明が解決しようとする課題】
【０００４】
ところが、上記の外装パネル用役物１４は、胴縁部１５とジョイナ部１６を別々に製作してから溶接するか、又は一体的に押出し成形で製作するのでコストが高くなるという問題があった。また、外装パネル１８の幅のバラツキにより、胴縁部１５とジョイナ部１６間に挟持される外装パネル１８が安定して確実に保持できない場合があった。
【０００５】
そこで、本発明は、外装パネルの裏面側に結露を防止する空気層を形成して外装パネルの防音性や保温性の低下を防ぐとともに、外装パネルを確実に安定して保持する外装パネル用役物を提供することを目的とする。
【課題を解決するための手段】
【０００６】
請求項１の発明は、建築物の外壁本体に設けられる一対の外装パネルの端部を覆う長尺の外装パネル用役物であって、前記外装パネル用役物の断面形状は左右対称形で、一対の外装パネルの各端部を収納する一対の収納部とこの収納部を覆う一対のカバー材から成り、前記一対の収納部は、前記外壁本体に取付けられる内側材と、この内側材から平行に隔たる外側材と、前記内側材の一端と前記外側材の一端を連結する連結材とで形成されるとともに、前記一対のカバー材は前記各外側材の他端で折返し外側材に沿って延設して前記対称軸上で連結され、前記内側材の他端に連続して前記内側材と平行に折返す第二の内側材と、この第二の内側材の先端から前記収納部の内部側に傾斜する斜材と、この斜材の先端から前記第二の内側材に平行な第三の内側材が延設され、前記第三の内側材と前記外側材の間隔が前記外装パネルの厚さと同じ幅で形成され、前記第三の内側材先端に前記収納部の内部側に突出する突出面を備えることを特徴としている。
【０００７】
請求項２の発明は、請求項１に記載の外装パネル用役物であって、前記一対の内側材の挟角は直角又は１８０度に形成されることを特徴としている。
【０００８】
請求項３の発明は、請求項１又は請求項２に記載の外装パネル用役物であって、前記外装パネル用役物は鋼板による板金加工で一体形成されることを特徴としている。
【発明の効果】
【０００９】
請求項１の発明によれば、外装パネル用役物の前記内側材の他端に連続して前記内側材と平行に折返す第二の内側材と、この第二の内側材の先端から前記収納部の内部側に傾斜する斜材と、この斜材の先端から前記第二の内側材に平行な第三の内側材が延設され、前記第三の内側材と前記外側材の間隔が前記外装パネルの厚さと同じ幅で形成されるので、外装パネルを挿入する際に、前記斜材の撓みによる弾性効果によって外装パネルを確実に安定して前記収納部に保持することができる。
【００１０】
また、前記第二の内側材と第三の内側材の間に空気層としての隙間が得られるので外装パネルの裏面側に結露を発生するのを防止できるので、外装パネルの劣化を防止して防音性や保温性の低下を防ぐことができる。
【００１１】
さらに、前記第三の内側材先端に前記収納部の内部側に突出する突出面を備えるので、この突出面によって外装パネルの挿入位置決めが確実且つ容易にできる。このため、前記外装パネルが前記連結材に当接しないので前記連結材に影響を及ばさず外装パネル用役物が変形しないので、外装パネルを確実に安定して保持することができる。
【００１２】
請求項２の発明によれば、請求項１に記載の外装パネル用役物であって、前記一対の内側材の挟角は直角又は１８０度に形成されるので、外装パネル用役物のカバー材とベース材を同様の構成で外壁本体の出隅部又は平面部に用いることができる。このため、請求項１の発明の効果と同様の効果が得られるとともに、略同じ工程を用いて出隅部又は平面部用に加工できるので生産性が向上する。
【００１３】
請求項３の発明によれば、請求項１又は請求項２に記載の外装パネル用役物であって、前記外装パネル用役物は鋼板による板金加工で一体形成されるので、容易に製作できてコストを下げることができる。
【発明を実施するための最良の形態】
【００１４】
以下に、本発明の第１の実施形態を図１に基づいて説明する。
【００１５】
＜外装パネル用役物の構成＞
図１に示すように、本発明の外装パネル用役物２１は建築物の外壁本体２２に設けられる一対の外装パネル２３の端部２３ａを覆う長尺の外装パネル用役物２１で、断面形状は左右対称形で外装パネル２３の各端部２３ａを収納する一対の収納部２５とこの収納部２５を覆う一対のカバー材３３から成る。
【００１６】
一対の収納部２５は、外壁本体２２に取付けられる内側材２６（長さＴ＝３７ｍｍ）と、この内側材２６から平行に隔たる外側材２７（長さＴ１＝２０ｍｍ）と、内側材２６の一端２６ａと外側材２７の一端２７ａを直角に連結する連結材２８とで形成される。
【００１７】
さらに、内側材２６の他端２６ｂに連続して内側材２６と平行に折返す第二の内側材２９と、この第二の内側材２９の先端２９ａから収納部２５の内部側に傾斜する斜材３０と、この斜材３０の先端３０ａから第二の内側材２９に平行な第三の内側材３１が延設される。第三の内側材３１の先端３１ａに収納部２５の内部側に突出する突出面３２を備える。
【００１８】
いま、第三の内側材３１と外側材２７の間隔Ｈが外装パネル２３の厚さＨ３＝２１ｍｍと略同じ幅で形成される。
【００１９】
より詳しくは、間隔Ｈ＝略２１ｍｍは、厚さＨ３＝２１ｍｍの外装パネル２３が斜材３０の弾性（スプリング）効果によって第三の内側材３１と外側材２７間に安定して挟持できるように、外装パネル２３の厚さのバラツキを考慮して設定される。
【００２０】
また、内側材２６と外側材２７の間隔Ｈ１＝２６ｍｍで、第二の内側材２９と第三の内側材３１との隙間Ｈ２＝３．５ｍｍに空気層が形成される。
【００２１】
一対のカバー材３３は各外側材２７の他端２７ｂで外側に幅Ｈ４＝１．５ｍｍで折返し、外側材２７に沿って延設して対称軸Ｐ上の位置Ｐ１で連結される。一対のカバー材３３の全幅Ｔ３＝４５ｍｍ、一対の内側材２６の両他端２６ｂ間の長さＴ４＝７９ｍｍである。内側材２６は図示しないビス等を介して外壁本体２２に取付けられる。
【００２２】
外装パネル２３は断熱性、遮音性等を目的として、内部の断熱材を両側から薄肉の金属板で被覆してなる金属サイディングが用いられる。
【００２３】
そして、複数の外装パネル２３は外壁本体２２の下から上に向かって横張り、又は左右方向の縦張りで組付けられる。また、図示しない胴縁を介して取付けることもある。外装パネル用役物２１は取付時に図示しないシール材を用いて防水対策が講じられる。
【００２４】
外装パネル用役物２１は板厚０．３５ｍｍの薄厚鋼板の両表面にアルミ・亜鉛合金メッキを施し、さらに、カバー材３３に対しては表面側となる面にフッ素樹脂塗装、裏面側にポリエステル樹脂塗装が施されて板金加工により連続して一体形成される。
【００２５】
＜外装パネル用役物の作用＞
上記、第三の内側材３１と外側材２７の間隔Ｈが外装パネルの厚さＨ３のバラツキを考慮して形成されるので、斜材３０の撓みによる弾性（スプリング）効果によって外装パネルを確実に安定して収納部に保持することができる。
【００２６】
第二の内側材２９と第三の内側材３１間の空気層により外装パネル２３の裏面側に結露を発生するのを防止できるので、外装パネル２３の劣化を防止して防音性や保温性の低下を防ぐことができる。
【００２７】
さらに、第三の内側材３１の突出面３２によって外装パネルの挿入位置決めが確実且つ容易にできるので、外装パネルが連結材に影響を及ばさず外装パネル用役物が変形しないので、外装パネルを確実に安定して保持することができる。
【００２８】
＜第２の実施形態＞
本発明の第２の実施形態を図２を用いて説明するが、図１に示す外装パネル用役物２１の構成と同構成部分については、図面に同符号を付して重複した説明を省略する。
【００２９】
図２に示すように、外装パネル用役物２１ａは建物の出隅部に用いられる外装パネル用役物２１ａで、一対の内側材２６の挟角θ＝直角に形成される。
【００３０】
外側材２７の長さＳ１＝２５ｍｍ、カバー材３３の全幅Ｓ２＝５５ｍｍ、内側材２６の長さＳ３＝４２ｍｍ、位置Ｐ１から内側材２６の他端２６ｂまでの長さＳ４＝７２ｍｍである。一端２６ａの対象軸Ｐからの長さＳ５＝８．５ｍｍである。
【００３１】
＜第３の実施形態＞
本発明の第３の実施形態を図３を用いて説明するが、図１に示す外装パネル用役物２１の構成と同構成部分については、図面に同符号を付して重複した説明を省略する。
【００３２】
図３に示すように、外装パネル用役物２１ｂは建物の入隅部に用いられる外装パネル用役物２１ｂで、一対の内側材２６の挟角θ１＝直角に形成される。位置Ｐ１から外側材２７の他端２７ｂまでの長さＷ＝２３ｍｍ、一対の一端２７ａ間の間隔Ｗ１＝略４ｍｍである。
【００３３】
以上、本発明の実施形態を図面に基づいて説明したが、上記の実施例はいずれも本発明の一例を示したものであり、本発明はこれらに限定されるべきでないということは言うまでもない。
【００３４】
外装パネル用役物は外装パネル端部が上下、左右どちらの方向であっても使用できる。外装パネル用役物の各寸法を調整することで、厚さＨ＝２１ｍｍ以外の金属サイディングにも用いることができる。
【００３５】
また、必要に応じて斜材３０に通気孔を設けても構わない。
【図面の簡単な説明】
【００３６】
【図１】本発明の第１の実施形態における、建築物の外壁本体２２に設けられる一対の外装パネル２３の端部２３ａを覆う長尺の外装パネル用役物２１の断面図である。
【図２】本発明の第２の実施形態における、建築物の出隅部に設けられる長尺の外装パネル用役物２１ａの断面図である。
【図３】本発明の第３の実施形態における、建築物の入隅部に設けられる長尺の外装パネル用役物２１ｂの断面図である。
【図４】従来の建築物の外壁本体Ｄに設けられる、（ａ）は外装パネル用役物１４の斜視図、（ｂ）は一対の外装パネル１８の端部を覆う長尺の外装パネル用役物１４の取付断面図である。
【符号の説明】
【００３７】
２１  外装パネル用役物
２２  外壁本体
２３  外装パネル
２３ａ  端部
２５  収納部
２６  内側材
２６ａ  一端
２６ｂ  他端
２７  外側材
２７ａ  一端
２８  連結材
２９  第二の内側材
２９ａ  先端
３０  斜材
３０ａ  先端
３１  第三の内側材
３１ａ  先端
３２  突出面
３３  カバー材
【図１】
0004544194.tif 000002
【図２】
0004544194.tif 000003
【図３】
0004544194.tif 000004
【図４】
0004544194.tif 000005